(57)【要約】      （修正有）【課題】発信予定相手先に発信、または発信予定相手先から着信をうけ通信していた場合に、通信済である情報が登録される発信予約機能を有する電話装置を提供する。【解決手段】通信予定時刻を登録する通信予定登録手段と、現在時刻を検知する時刻検知手段と、情報を表示する表示手段と、予定時刻が到来する前に相手先との電話の発信または着信がなされた場合に、当該通信を実行した旨の情報を記録する通信実行記録手段とを有し、通信予定時刻の到来を検出した場合であって、実行記録がない場合には、当該通信予定時刻が到来した旨を前記表示手段に表示し、予定している電話の通信を実行し、実行記録がある場合は、当該発信の予定のキャンセル画面を前記表示部に表示し、当該発信の予定をキャンセルする。【選択図】図１
2013197901.tif 000002
【特許請求の範囲】
【請求項１】
電話または電子メールの通信予定に係るスケジュール管理機能を備えた電話装置であって、
予定している電話または電子メールの通信予定時刻および関連情報を登録する通信予定登録手段と、現在時刻を検知する時刻検知手段と、情報を表示する表示手段と、登録された通信の予定時刻が到来する前に予定している相手先との電話または電子メールの発信または着信がなされた場合に、当該通信を実行した旨の情報を記録する通信実行記録手段、とを有し、
通信予定時刻の到来を検出した場合であって、前記実行記録手段を参照し、実行記録がない場合には、当該通信予定時刻が到来した旨を前記表示手段に表示すると共に前記通信予定登録手段を参照して当該発信に係る情報を前記表示手段に表示し、予め定められた特定操作が為されたならば、予定している電話または電子メールの通信を実行し、
前記実行記録手段に実行記録がある場合は、当該発信の予定のキャンセルに係る画面を前記表示部に表示し、予め定められた特定操作が為されたならば、当該発信の予定をキャンセルすることを特徴とする発信予約機能を有する電話装置。
【請求項２】
請求項１に記載の電話装置において、
自電話装置は電池で動作する移動電話機であって、自電話機が存在している場所を検知する場所検知手段を、さらに有し、
前記通信予定登録手段に予定している電話または電子メールの発信予定場所に係る情報が登録されている場合に、通信予定時刻の到来を検出し、その時点で発信予定場所への到着が確認できた場合は、当該通信予定時刻が到来した旨と、当該発信予定場所に到着した旨とを前記表示手段に表示すると共に前記通信予定登録手段を参照して当該発信に係る情報を前記表示手段に表示し、予め定められた特定操作が為されたならば、予定している電話または電子メールの発信を実行することを特徴とする発信予約機能を有する電話装置。
【請求項３】
請求項１または２に記載の電話装置において、
自電話装置は電池で動作する移動電話機であって、前記電池の残量を検知する電池残量検知手段と、自電話機内部の電気回路を構成する所定の機能ブロックへの給電を制御する給電制御手段と、発信または着信予定時刻に起動する制御手段と、をさらに有し、
前記通信予定登録手段に登録されている全てを実行するのに必要な総通信時間を算出し、電池残量から所定のルールで推定した通信可能時間が前記の総通信時間と一致またはそれ以下となった場合に、自電話機内部の通信予定時刻検出に係る部分と給電制御に係る部分を除く機能ブロックへの給電を停止し、
当該の発信または着信予定時刻の到来を検知したならば、自電話機内部の機能ブロックへの給電を再開することを特徴とする通信予約機能を有する電話装置。
【発明の詳細な説明】
【技術分野】
【０００１】
本発明は、予め定めた条件で発信予約が可能な電話装置に関する。
【背景技術】
【０００２】
特定の相手先に電話を掛ける予定があるときに、メモや紙面に記憶するのだが、発信者がメモを見忘れたり、物忘れをしたときに予定の電話を掛け忘れてしまい、相手先に迷惑になることがある。そこで、特許文献１には、発信予約の予定時刻に相手先に自動的に発信を行うための技術が開示されている。
【先行技術文献】
【特許文献】
【０００３】
【特許文献１】特許公開平９−２４７２５８号公報
【発明の概要】
【発明が解決しようとする課題】
【０００４】
しかしながら、特許文献１の技術を適用する場合、予め定めた時刻に自動的に発信をすることは可能であるが、発信の予定時刻の到来前に予め定めた相手先への発信を行った場合や予め定めた相手先から着信があった場合に、発信予約の取りやめ操作を自発的に行わなければならない。また、発信予約の取りやめ作業を忘れてしまった場合に、発信の予定時刻に不必要な発信を行ってしまうことになる。
【課題を解決するための手段】
【０００５】
本発明は、上記課題に鑑みなされたもので、電話または電子メールの通信予定に係るスケジュール管理機能を備えた電話装置であって、予定している電話または電子メールの通信予定時刻および関連情報を登録する通信予定登録手段と、現在時刻を検知する時刻検知手段と、情報を表示する表示手段と、登録された通信の予定時刻が到来する前に予定している相手先との電話または電子メールの発信または着信がなされた場合に、当該通信を実行した旨の情報を記録する通信実行記録手段、とを有し、通信予定時刻の到来を検出した場合であって、前記実行記録手段を参照し、実行記録がない場合には、当該通信予定時刻が到来した旨を前記表示手段に表示すると共に前記通信予定登録手段を参照して当該発信に係る情報を前記表示手段に表示し、予め定められた特定操作が為されたならば、予定している電話または電子メールの通信を実行し、前記実行記録手段に実行記録がある場合は、当該発信の予定のキャンセルに係る画面を前記表示部に表示し、予め定められた特定操作が為されたならば、当該発信の予定をキャンセルすることを特徴とする。
【発明の効果】
【０００６】
本発明によれば、電話装置は、ユーザによって予約された発信予約の発信予定時刻になると、事前に当該発信予約相手先と通信したか否かを確認し、事前に当該発信予約相手先に発信または発信予約相手先から着信をうけ通信していた場合に電話装置は、その旨、自装置の表示部に表示してユーザに確認する。これによって、既に通信が完了している発信予約について、誤って発信されることがないという効果がある。
【図面の簡単な説明】
【０００７】
【図１】本発明の一実施の形態に係る電話装置の機能ブロック図である。
【図２】本発明の一実施の形態に係る電話装置のフローチャート図である。
【図３】通信予定登録処理の詳細フローチャート図である。
【図４】電池残量監視処理の詳細フローチャート図である。
【図５】位置検出なし発信処理の詳細フローチャート図である。
【図６】位置検出あり発信処理の詳細フローチャート図である。
【図７】呼接続処理の詳細フローチャート図である。
【図８】発信の予定時刻に過去の通信実行記録を参照して発信予定をキャンセルする処理を説明するためのシーケンス図である。
【図９】発信予定場所への到着を検知して予約発信を行う処理を説明するためのシーケンス図である。
【図１０】電池残量を監視して給電の制御を行い、予約発信を行う処理を説明するためのシーケンス図である。
【図１１】電池残量を監視して給電の制御を行い、予約着信を行う処理を説明するシーケンス図である。
【図１２】通信予定情報を登録する通信予定登録テーブルを表した図である。
【図１３】本発明の一実施の形態に係る電話装置の表示例である。
【発明を実施するための形態】
【０００８】
以下、本発明の実施の形態について、実施例を用い図面を参照しながら詳細に説明する。なお、実質同一部位には同じ符号を付与し、説明は繰り返さない。
図１は、本発明の一実施の形態が適用された電話装置の機能ブロック図である。
【０００９】
図１に示すように、電話装置（発信元）１はＧＰＳ情報取得部１０１、位置情報解析部１０２、時刻部１０３、スケジュール記憶部１０４、通信実行記録部１０５、スケジュール管理部１０６、通信予定時刻検出部１０７、給電制御部１０８、無線通信部１０９、呼接続制御部１１０、端末制御部１１１、電池部１１２、電池残量監視部１１３、表示部１１４、操作部１１５を有する。
【００１０】
ＧＰＳ情報取得部１０１は、ＧＰＳ衛星４からのデータ受信に係る制御全般を行う。
位置情報解析部１０２は、ＧＰＳ情報取得部１０１で取得したデータを基に自電話装置の現在位置を解析し、スケジュール管理部１０６に通知する。
【００１１】
時刻部１０３は、現在の時刻をスケジュール管理部１０６に通知する。
スケジュール記憶部１０４は、スケジュール管理部１０６が管理する通信予定登録テーブル６００を記憶する。
【００１２】
通信実行記録部１０５は、呼接続制御部１１０で通信を行った電話の発着信履歴または電子メールの発着信履歴を通信実行情報として記録する。また、通信実行記録部１０５は、スケジュール管理部１０６と連携しスケジュール記憶部１０４に記憶された通信予定登録テーブル６００の通信予定相手先６０４（後述する）と前記の通信実行情報を照合して、一致していれば通信予定相手先６０４への通信は実行済みである旨の情報を該当するレコード６１０の通信実行済みフラグ６０６に保存する。
【００１３】
スケジュール管理部１０６は、操作部１１５から入力された操作を元に端末制御部１１１で取得した通信予定情報を受け取り、スケジュール記憶部１０４に保存する。
【００１４】
スケジュール管理部１０６は、時刻部１０３から現在時刻とスケジュール記憶部１０４から通信予定時刻６０２を取得し、現在時刻以降に通信予約が存在するならば、通信予定時刻が到来するまでの時間を通信予定時刻検出部１０７に通知する。
【００１５】
スケジュール管理部１０６は、通信予定時刻検出部１０７から通信予定時刻到来の通知を受け、スケジュール記憶部１０４から該当するレコード６１０を取得し、通信予定時刻６０２到来前に該当する通信予定相手先６０４と通信を行った記録が通信実行済みフラグ６０６に登録されていたならば、端末制御部１１１を介して該当する発信予定をキャンセルする旨の表示２１００を表示部１１４で行う。
【００１６】
スケジュール管理部１０６は、発信予定をキャンセルする旨の表示２１００を表示中に操作部１１５から端末制御部１１１を介して特定の発信キャンセル操作を検出した場合には、スケジュール記憶部１０４に対して通信予定情報の削除を行う。
【００１７】
スケジュール管理部１０６は、通信予定時刻６０２到来前に通信予定相手先６０４の通信を行った記録が通信実行済みフラグ６０６に存在しなければ、通信を開始する旨の表示２０００を表示部１１４で行う。前記の表示中に操作部１１５から端末制御部１１１を介して発信許可操作が通知されたならば、端末制御部１１１に対して呼接続を開始する指示を行う。
【００１８】
スケジュール管理部１０６は、通信予定時刻検出部１０７から発信の予定時刻到来の通知を受け、位置情報解析部１０２より現在の位置情報を取得し、スケジュール記憶部１０４から取得した発信予定場所６０５と照合して一致している場合には、制御部１１１を介して発信予定場所６０５に到着した旨の表示２２００を表示部１１４で行う。
【００１９】
その後、該当するレコード６１０の通信実行済みフラグ６０６を取得して通信予定時刻６０２到来前に通信を行っていなければ、発信を開始する旨の発信開始確認表示２０００を行う。前記の表示中に操作部１１５から端末制御部１１１を介して発信許可操作を検出したならば、端末制御部１１１に対して呼接続の指示を行い、スケジュール記憶部１０４に対して通信予定登録テーブル６００の該当するレコード６１０を削除する指示を行う。一方、特定の予約発信許可操作が検出できない場合には、端末制御部１１１に対して呼接続の指示を行わず、通信予定情報の削除を行う。
【００２０】
通信予定時刻検出部１０７は、スケジュール管理部１０６から通信予定時刻６０２が到来するまでの時間を取得してタイマーを実行する。その後、タイマーが満了して通信予定登録テーブル６００の予定の時刻が到来した場合、給電制御部１０８とスケジュール管理部１０６に対し通知を行う。
【００２１】
給電制御部１０８は、スケジュール記憶部１０４より通信予定登録テーブル６００に登録されている全ての通信予定時間６０３を合計した通信時間（以下、総通信予定時間と称する）と、電池残量監視部１１３から取得した残りの電池残量から算出した通信時間（以下、通信可能時間と称する）を比較し、通信可能時間が総通信予定時間と一致またはそれより短い場合は、通信予定時刻検出部１０７および給電制御部１０８を除く、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を停止する。
【００２２】
また、給電制御部１０８は、通信予定時刻検出部１０７から通信予定時刻が到来した旨の通知を受けた場合、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を再開する。
【００２３】
無線通信部１０９は、呼接続制御部１１０より通信の指示を受け、公衆網３を介して電話装置（相手先）２と通信を行う。
呼接続制御部１１０は、相手先装置との呼接続に係る制御全般を行う。また、呼接続制御部１１０は呼接続を行った相手先の電話番号または電子メールアドレスを通信実行記録部１０５に通知する。
【００２４】
端末制御部１１１は、スケジュール管理部１０６より表示の指示を受け、表示部１１４の表示処理全般の制御を行う。また、端末制御部１１１は、操作部１１５より操作情報を受け取り、スケジュール管理部１０６へ操作内容を通知する。
【００２５】
電池部１１２は、電話装置（発信元）１を動作させるための給電を行う。
電池残量監視部１１３は、電池部１１２から電池残量を取得し、給電制御部１０８に通知する。
表示部１１４は、端末制御部１１１からの指示による表示に係る制御全般を行う。
操作部１１５は、ユーザーからの入力操作を検知し、端末制御部１１１に入力情報を通知する。
【００２６】
図２は、本発明の電話装置の動作フローである。本動作フローは、電話装置（発信元）１が電源オンとなり通信可能状態に移行すると同時に開始される。
通信予定登録処理Ｓ１００２は、電話装置（発信元）１が起動すると直ちに実行され、通信予定に関する登録操作の有無の確認と登録処理を実行する。なお処理の詳細については、図３の説明に記述する。
【００２７】
電池残量監視処理Ｓ１００３は、通信予定登録テーブル６００に登録されている全ての通信予定を実行するのに必要な電池残量の監視を行い、通信予定時刻検出部１０７および給電制御部１０８を除く、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電制御を行う。なお、処理の詳細については、図４の説明に記述する。
【００２８】
その後、現在時刻を取得し（Ｓ１００４）、現在の時刻以降の通信予定が通信予定登録テーブル６００に登録されている場合（Ｓ１００５、Ｙｅｓ）、該当する通信予定種別６０１の確認を行う（Ｓ１００６）。一方、現在の時刻以降の通信予定が通信予定登録テーブル６００に登録されていない場合（Ｓ１００５、Ｎｏ）、以降のフロー処理は実行せずに、通信予定登録処理Ｓ１００２に移行する。
【００２９】
通信種別の判定Ｓ１００６は、該当する通信予定登録テーブル６００のレコード６１０の通信予定種別６０１を取得し、通信予定種別６０１が着信の場合（Ｓ１００６、着信）、以降のフロー処理を行わず通信予定登録処理Ｓ１００２に移行する。一方、通信予定種別６０１が発信の場合（Ｓ１００６、発信）、発信予定場所６０５の判定処理Ｓ１００７に移行する。
【００３０】
Ｓ１００７は、該当する通信予定登録テーブル６００のレコード６１０において発信予定場所６０５が登録されているかどうかの判定を行い、発信予定場所６０５の登録がある場合（Ｓ１００７、Ｙｅｓ）、位置検出を行い、発信処理Ｓ１００９を実行する。なお、処理の詳細については、図６の説明に記述する。一方、発信予定場所６０５が登録されていない場合（Ｓ１００７、Ｎｏ）、位置検出をおこなわずに、発信処理Ｓ１００８を実行する。なお、処理の詳細については、図５の説明に記述する。
【００３１】
図３は、通信予定登録処理Ｓ１００２の詳細動作フローである。本図に示すように、通信予定登録処理Ｓ１００２は起動されると（Ｓ１５０１）、通信予定を登録する操作の有無を確認し（Ｓ１５０２）、通信予定の登録操作がある場合（Ｓ１５０２、Ｙｅｓ）、登録操作で入力された通信予定の情報を通信予定登録テーブル６００のレコード６１０に新たに登録して（Ｓ１５０３）、通信予定登録処理Ｓ１００２を終了する（Ｓ１５０４）。一方、通信予定の登録操作がない場合（Ｓ１５０２、Ｎｏ）、直ちに通信予定登録処理Ｓ１００２を終了する（Ｓ１５０４）。
【００３２】
図４は、電池残量監視処理Ｓ１００３の詳細動作フローである。本図に示すように、電池残量監視処理Ｓ１００３は起動されると（Ｓ１４０１）、先ず、通信予定登録テーブル６００に登録されている総通信予定時間を算出し（Ｓ１４０２）、次に、通信可能時間算出Ｓ１４０３は、現在の電池残量から推定される残りの通信可能時間を算出する。
【００３３】
Ｓ１４０４は、Ｓ１４０２で算出した総通信予定時間がＳ１４０３で算出した通信可能時間と比較し長いかどうかを判定し、短ければ（Ｓ１４０４、Ｎｏ）、以降のフロー処理を実行せず、電池残量監視処理Ｓ１００３を終了する（Ｓ１４０８）。
【００３４】
一方、Ｓ１４０２で算出した総通信予定時間がＳ１４０３で算出した残り通信可能時間と一致またはそれより長い場合には（Ｓ１４０４、Ｙｅｓ）、通信予定時刻検出部１０７に対し通信予定時刻６０２のうち直近の通信予定時刻６０２が到来するまでの時間をタイマーに設定し、通信予定時刻検出部１０７および給電制御部１０８を除く、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を停止する（Ｓ１４０５）。
【００３５】
また、給電が停止している状態で、通信予定時刻検出部１０７で通信予定時刻６０２の到来が検出されたならば（Ｓ１４０６、Ｙｅｓ）、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を再開し（Ｓ１４０７）、電池残量監視処理Ｓ１００３を終了する（Ｓ１４０８）。
【００３６】
一方、通信予定時刻検出部１０７で該当の通信予定時刻６０２の到来が検出されなければ（Ｓ１４０６、Ｎｏ）、該当の通信予定時刻６０２の到来が検出されるまでＳ１４０６を実行する。
【００３７】
図５は、位置検出なし発信処理Ｓ１００８の詳細動作フローである。本図に示すように位置検出なし発信処理Ｓ１００８は起動されると（Ｓ１１０１）、通信予定時刻検出部１０７で該当する通信予定時刻６０２の到来を監視し、到来を検出した場合（Ｓ１１０２、Ｙｅｓ）、呼接続処理Ｓ１１０３で通信予定相手先６０４へ発信処理を行い、位置検出なし発信処理Ｓ１００８を終了する（Ｓ１１０４）。なお、呼接続処理Ｓ１１０３の詳細については、図７の説明に記述する。
【００３８】
一方、通信予定時刻検出部１０７で通信予定時刻６０２の到来を監視するも、検出しない場合は（Ｓ１１０２、Ｎｏ）、直ちに位置検出なし発信処理Ｓ１００８を終了する（Ｓ１１０４）。
【００３９】
図６は、位置検出あり発信処理Ｓ１００９の詳細動作フローである。本図に示すように、位置検出あり発信処理Ｓ１００９は起動されると（Ｓ１２０１）、通信予定時刻検出部１０７で通信予定時刻６０２の到来を監視し、到来を検出した場合（Ｓ１２０２、Ｙｅｓ）、現在位置の取得を行う（Ｓ１２０３）。
【００４０】
Ｓ１２０４は、Ｓ１２０３で取得した現在位置と、通信予定登録テーブル６００に登録されている該当のレコード６１０の発信予定場所６０５を照合し、一致していれば（Ｓ１２０４、Ｙｅｓ）、発信予定場所６０５に到着した旨の表示２２００（図１３参照）を行い（Ｓ１２０５）、呼接続処理Ｓ１１０３を実行する。呼接続処理Ｓ１１０３は、通信予定登録テーブル６００に登録されている該当のレコード６１０の通信予定相手先６０４への発信処理を実行し、位置検出あり発信処理Ｓ１００９を終了する（Ｓ１２０８）。なお、呼接続処理Ｓ１１０３の詳細は、図７の説明で記述する。
【００４１】
一方、Ｓ１２０３で取得した現在位置と、通信予定登録テーブル６００に登録されている該当のレコード６１０の発信予定場所６０５を照合し、一致していなければ（Ｓ１２０４、Ｎｏ）、発信予定場所６０５に未到着である旨の表示２３００を行い（Ｓ１２０７）、位置検出あり発信処理Ｓ１００９を終了する（Ｓ１２０８）。
【００４２】
また、通信予定時刻検出部１０７で通信予定時刻６０２の到来を監視するも、到来を検出しない場合は（Ｓ１２０２、Ｎｏ）、直ちに位置検出あり発信処理Ｓ１００９を終了する（Ｓ１２０８）。
【００４３】
図７は、呼接続処理Ｓ１１０３の詳細動作フローである。本図において、呼接続処理Ｓ１１０３は起動されると（Ｓ１３０１）、通信予定時刻６０２の到来前に通信予定相手先６０４と発信または着信を行ったかどうかの確認するために、該当するレコード６１０の通信実行済みフラグ６０６より、通信予定相手先６０４との通信実行記録を取得する（Ｓ１３０２）。
【００４４】
Ｓ１３０３では、通信実行記録取得Ｓ１３０２で取得した通信実行記録を確認し、通信予定時刻６０２到来前に通信予定相手先６０４に対して発信または着信を行っていない場合（Ｓ１３０３、Ｎｏ）、表示部１１４に発信を開始する旨の確認表示２０００を行う（Ｓ１３０４）。
【００４５】
一方、該当の通信予定時刻６０２が到来前に通信予定相手先６０４に対して発信または着信を行っている場合（Ｓ１３０３、Ｙｅｓ）、表示部１１４に発信予定をキャンセルする旨の表示２１００を行う（Ｓ１３０５）。
【００４６】
通信開始確認表示Ｓ１３０４の確認表示２０００に対して、指示された特定の操作「はい」２００１が実行された場合（Ｓ１３０６、「はい」）、該当の通信予定相手先６０４との通信のための呼接続処理Ａを行い（Ｓ１３０８）、該当するレコード６１０を削除し（Ｓ１３１０），呼接続処理Ｓ１１０３を終了する（Ｓ１３１１）。
【００４７】
一方、通信開始確認表示Ｓ１３０４の確認表示２０００に対して、指示された特定の操作「いいえ」２００２が実行された場合（Ｓ１３０６、「いいえ」）、いかなる呼接続をも実行することなく、通信予定登録テーブル６００に登録されている該当のレコード６１０を削除し（Ｓ１３１０）、呼接続処理Ｓ１１０３を終了する（Ｓ１３１１）。
【００４８】
発信予定キャンセル確認表示Ｓ１３０５のキャンセル表示２１００に対し、指示された特定の操作「はい」２１０１が実行された場合（Ｓ１３０７、「はい」）、いかなる呼接続をも行うことなく、通信予定登録テーブル６００の該当するレコード６１０を削除し（Ｓ１３１０）、呼接続処理Ｓ１１０３を終了する（Ｓ１３１１）。
【００４９】
一方、発信予定キャンセル確認表示Ｓ１３０５のキャンセル表示２１００に対して、指示された特定の操作「いいえ」２１０２が実行された場合（Ｓ１３０７、「いいえ」）、該当する通信予定相手先６０４と通信のための呼接続処理Ｂを行い（Ｓ１３０９）、通信予定登録テーブル６００の該当するレコード６１０を削除し（Ｓ１３１０）、呼接続処理Ｓ１１０３を終了する（Ｓ１３１１）。
【００５０】
図８は、本発明の電話装置で通信予定時刻の到来前に予定している相手先と通信を実行した場合、通信予定時刻の到来を検出したときに、発信予定をキャンセルするシーケンス図である。
【００５１】
電話装置（発信元）１は、該当するレコード６１０の通信予定時刻６０２の到来を検出した場合（Ｓ１０２）、該当するレコード６１０の通信実行済みフラグ６０６の内容を参照し、該当の通信予定時刻６０２の到来前に通信予定相手先６０４である電話装置（発信相手先）２と通信を行ったことを確認する（Ｓ１０３）。過去に通信があったことを確認すると、発信予定をキャンセルする旨の確認表示２１００を行い（Ｓ１０４）、特定の発信キャンセル操作Ｓ１０６を受け、いかなる呼接続を行うことなく、通信予定登録テーブル６００の該当のレコード６１０を削除する（Ｓ１０５）。  
図９は、本発明の電話装置で通信予定時刻に発信予定場所への到着を検知して予定している相手先に発信を行うシーケンス図である。
【００５２】
発信元である電話装置（発信元）１は、通信予定登録テーブル６００に登録されている該当レコード６１０の通信予定時刻６０２の到来を検出し（Ｓ２００）、現在の位置情報をＧＰＳ情報取得部１０１より取得する（Ｓ２０１）。Ｓ２０１で取得した現在位置と通信予定登録テーブル６００に登録されている該当レコード６１０の発信予定場所６０５が一致したことを検出し（Ｓ２０２）、発信予定場所６０５に到着した旨の表示２２００を行う（Ｓ２０３）。
【００５３】
その後、該当するレコード６１０の通信実行済みフラグ６０６の内容を参照し、過去の通信の確認を行い（Ｓ２０７）、該当する通信予定相手先６０４と過去に通信がおこなわれていないことを確認し、発信を開始する旨の確認表示２０００を行う（Ｓ２０８）。その表示に対し、特定の発信許可操作の入力Ｓ２０５を受けて、通信予定相手先６０４の電話装置（通信相手先）２に向けて発信を行い（Ｓ２０６）、通信予定登録テーブル６００の該当するレコード６１０を削除する（Ｓ２０４）。
【００５４】
図１０は、本発明の電話装置で電池残量から推定した通信可能時間が総通信予定時間より短くなったことを検出して、自電話機内部の機能ブロックへの給電を停止し、その後、通信予定時刻到来で給電を再開し通信相手先に発信を行うシーケンス図である。
【００５５】
電話装置（発信元）１は、通信予定登録テーブル６００の総通信予定時間を算出し（Ｓ３００）、さらに、電池残量から残り通信可能な時間を算出する（Ｓ３０１）。
【００５６】
Ｓ３０１で算出した通信可能時間がＳ３００で算出した総通信予定時間より短くなったことを検出した場合（Ｓ３０２）、通信予定時刻検出部１０７および給電制御部１０８を除く、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を停止する（Ｓ３０３）。
【００５７】
その後も給電が行われている通信予定時刻検出部１０７により、該当の通信予定時刻６０２の到来を知らせるタイマーが満了したことを検出すると（Ｓ３０４）、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を再開する（Ｓ３０５）。
【００５８】
さらに、該当するレコード６１０の通信実行済みフラグ６０６を参照すると、該当の通信予定時刻６０２到来前に通信予定相手先６０４と通信がおこなわれていないので（Ｓ３１０）、通信予定時刻６０２が到来した旨の表示２０００を行う（Ｓ３０６）。そこで、発信を許可する操作Ｓ３０８を受けて、通信予定相手先６０４である電話装置（発信相手先）２に向けて発信を行い（Ｓ３０９）、通信予定登録テーブル６００の該当のレコード６１０を削除する（Ｓ３０７）。
【００５９】
図１１は、本発明の電話装置で電池残量から算出した通信可能時間が総通信予定時間より短くになったことを検出して、自電話機内部の機能ブロックへの給電を停止したあと、着信予定の登録された通信予定時刻への到来を検出して、給電を再開し着信可能な状態に移行するシーケンス図である。
【００６０】
電話装置（着信）１は、通信予定登録テーブル６００の総通信予定時間を算出する（Ｓ４００）。また、電池残量から残り通信可能な時間を算出する（Ｓ４０１）。
【００６１】
Ｓ４０１で算出した通信可能時間がＳ４００で算出した総通信予定時間よりも短くなったことを検出し（Ｓ４０２）、通信予定時刻検出部１０７および給電制御部１０８を除く、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を停止する（Ｓ４０３）。その後も給電が継続している通信予定時刻検出部１０７が、着信予定の登録された通信予定の該当の通信予定時刻６０２の到来を知らせるタイマーが満了したことを検出し（Ｓ４０４）、ＧＰＳ情報取得部１０１、位置情報解析部１０２、時刻部１０３、スケジュール記憶部１０４、通信実行記録部１０５、スケジュール管理部１０６、無線通信部１０９、呼接続制御部１１０、端末制御部１１１、電池部１１２、電池残量監視部１１３、表示部１１４、操作部１１５への給電を再開して（Ｓ４０５）、着信可能な状態に移行する。
【００６２】
図１２は、本発明の電話装置で通信予定情報を登録する通信予定登録テーブルである。
通信予定登録テーブル６００は、図示するように登録される通信予定毎にレコード６１０が記録される。このレコード６１０は通信予定種別６０１と、通信予定時刻６０２と、通信予定時間６０３と、通信予定相手先６０４と、発信予定場所６０５と、通信実行済みフラグ６０６と、を有する。
【００６３】
通信予定種別６０１は、予約通信が行われる通信の種別（発信または着信）が登録される。通信予定時刻６０２は、予約通信を開始する時刻が登録される。通信予定時間６０３は、予約通信で必要とされる通信時間が登録される。通信予定相手先６０４は、予約通信を行う相手先が登録される。発信予定場所６０５は、特定の場所への到着で予約通信を行う場合の位置情報が任意で登録される。通信実行済みフラグ６０６は、事前に当該発信予定相手先に発信または発信予定相手先から着信をうけ通信していた場合に、通信済みである旨の情報が登録される。
【００６４】
なお、本発明における「通信」「発信」「着信」という用語は、電話装置の通話に係る通信、発信、着信だけでなく、電子メールに係る通信、発信、着信も含まれる。
【符号の説明】
【００６５】
１  電話装置（発信元）
２  電話装置（相手先）
３  公衆網
４  ＧＰＳ衛星
１０１  ＧＰＳ情報取得部
１０２  位置情報解析部
１０３  時刻部
１０４  スケジュール記憶部
１０５  通信実行記録部
１０６  スケジュール管理部
１０７  通信予定時刻検出部
１０８  給電制御部
１０９  無線通信部
１１０  呼接続制御部
１１１  端末制御部
１１２  電池部
１１３  電池残量監視部
１１４  表示部
１１５  操作部
【図１】
2013197901.tif 000003
【図２】
2013197901.tif 000004
【図３】
2013197901.tif 000005
【図４】
2013197901.tif 000006
【図５】
2013197901.tif 000007
【図６】
2013197901.tif 000008
【図７】
2013197901.tif 000009
【図８】
2013197901.tif 000010
【図９】
2013197901.tif 000011
【図１０】
2013197901.tif 000012
【図１１】
2013197901.tif 000013
【図１２】
2013197901.tif 000014
【図１３】
2013197901.tif 000015